(57)【特許請求の範囲】
【請求項１】
複数のビデオカメラからの出力を切り替えて出力するための切り替え装置を含むシステムに用いられるビデオカメラに設けられ、前記切り替え装置において設定され、この切り替え装置より送られてくる、ビデオカメラを識別するためのカメラ識別情報を入力する入力手段と、
前記ビデオカメラに設けられ、前記入力手段によって入力されたカメラ識別情報を表示するための表示手段と
を備えたことを特徴とするカメラ識別情報表示装置。
【請求項２】
前記カメラ識別情報は、前記切り替え装置より、前記ビデオカメラを制御するための制御信号の伝達の経路を制御するための伝達経路制御装置と、前記制御信号に基づいて前記ビデオカメラを制御するためのカメラ制御装置とを経由して前記ビデオカメラに送られる信号に含まれることを特徴とする請求項１記載のカメラ識別情報表示装置。
【請求項３】
複数のビデオカメラからの出力を切り替えて出力するための切り替え装置を含むシステムに用いられるビデオカメラに設けられ、外部より送られてくる、ビデオカメラを識別するためのカメラ識別情報を入力する入力手段と、
前記ビデオカメラに設けられ、前記入力手段によって入力されたカメラ識別情報を表示するための表示手段と
を備えたことを特徴とするカメラ識別情報表示装置。
【請求項４】
複数のビデオカメラからの出力を切り替えて出力するための切り替え装置に設けられ、前記ビデオカメラにおいて設定され、このビデオカメラより送られてくる、ビデオカメラを識別するためのカメラ識別情報を入力する入力手段と、
前記切り替え装置に設けられ、前記入力手段によって入力されたカメラ識別情報を表示するための表示手段と、
前記切り替え装置に設けられ、前記複数のビデオカメラからの出力を切り替える選択スイッチと
を備え、
前記カメラ識別情報が、前記切り替え装置の前記選択スイッチの操作部分に表示されることを特徴とするカメラ識別情報表示装置。
【請求項５】
前記カメラ識別情報は、前記切り替え装置より、制御信号に基づいて前記ビデオカメラを制御するためのカメラ制御装置と、このカメラ制御装置との間で入出力される制御信号の伝達の経路を制御するための伝達経路制御装置とを経由して前記切り替え装置に送られる信号に含まれることを特徴とする請求項４記載のカメラ識別情報表示装置。
【請求項６】
複数のビデオカメラからの出力を切り替えて出力するための切り替え装置に設けられ、外部より送られてくる、ビデオカメラを識別するためのカメラ識別情報を入力する入力手段と、
前記切り替え装置に設けられ、前記入力手段によって入力されたカメラ識別情報を表示するための表示手段と、
前記切り替え装置に設けられ、前記複数のビデオカメラからの出力を切り替える選択スイッチと
を備え、
前記カメラ識別情報が、前記切り替え装置の前記選択スイッチの操作部分に表示されることを特徴とするカメラ識別情報表示装置。
【請求項７】
複数のビデオカメラからの出力を切り替えて出力するための切り替え装置を含むシステムに用いられるビデオカメラにおいて、前記切り替え装置において設定され、この切り替え装置より送られてくる、ビデオカメラを識別するためのカメラ識別情報を入力し、入力したカメラ識別情報を表示することを特徴とするカメラ識別情報表示方法。
【請求項８】
前記カメラ識別情報は、前記切り替え装置より、前記ビデオカメラを制御するための制御信号の伝達の経路を制御するための伝達経路制御装置と、前記制御信号に基づいて前記ビデオカメラを制御するためのカメラ制御装置とを経由して前記ビデオカメラに送られる信号に含まれることを特徴とする請求項７記載のカメラ識別情報表示方法。
【請求項９】
複数のビデオカメラからの出力を切り替えて出力するための切り替え装置を含むシステムに用いられるビデオカメラにおいて、外部より送られてくる、ビデオカメラを識別するためのカメラ識別情報を入力し、入力したカメラ識別情報を表示することを特徴とするカメラ識別情報表示方法。
【請求項１０】
複数のビデオカメラからの出力を切り替えて出力するための切り替え装置において、前記ビデオカメラにおいて設定され、このビデオカメラより送られてくる、ビデオカメラを識別するためのカメラ識別情報を入力し、入力したカメラ識別情報を前記切り替え装置の選択スイッチの操作部分に表示することを特徴とするカメラ識別情報表示方法。
【請求項１１】
前記カメラ識別情報は、前記切り替え装置より、制御信号に基づいて前記ビデオカメラを制御するためのカメラ制御装置と、このカメラ制御装置との間で入出力される制御信号の伝達の経路を制御するための伝達経路制御装置とを経由して前記切り替え装置に送られる信号に含まれることを特徴とする請求項１０記載のカメラ識別情報表示方法。
【請求項１２】
複数のビデオカメラからの出力を切り替えて出力するための切り替え装置において、外部より送られてくる、ビデオカメラを識別するためのカメラ識別情報を入力し、入力したカメラ識別情報を前記切り替え装置の選択スイッチの操作部分に表示することを特徴とするカメラ識別情報表示方法。
【請求項１３】
複数のビデオカメラと、これらの複数のビデオカメラからの出力を切り替えて出力するための切り替え装置とを含むシステムであって、
前記複数のビデオカメラは、それぞれ、
前記切り替え装置において設定され、この切り替え装置より送られてくる、ビデオカメラを識別するためのカメラ識別情報を入力する第１の入力手段と、
前記第１の入力手段によって入力されたカメラ識別情報を表示するための第１の表示手段と
を備え、
前記切り替え装置は、
前記ビデオカメラにおいて設定され、このビデオカメラより送られてくる、ビデオカメラを識別するためのカメラ識別情報を入力する第２の入力手段と、
前記第２の入力手段によって入力されたカメラ識別情報を表示するための第２の表示手段と
を備えたことを特徴とするカメラ識別情報表示システム。
【請求項１４】
複数のビデオカメラと、これらの複数のビデオカメラからの出力を切り替えて出力するための切り替え装置とを含むシステムであって、
前記複数のビデオカメラは、それぞれ、
外部より送られてくる、ビデオカメラを識別するためのカメラ識別情報を入力する第１の入力手段と、
前記第１の入力手段によって入力されたカメラ識別情報を表示するための第１の表示手段と
を備え、
前記切り替え装置は、
外部より送られてくる、ビデオカメラを識別するためのカメラ識別情報を入力する第２の入力手段と、
前記第２の入力手段によって入力されたカメラ識別情報を表示するための第２の表示手段と
を備えたことを特徴とするカメラ識別情報表示システム。
【発明の詳細な説明】
【０００１】
【発明の属する技術分野】
本発明は、ビデオカメラを識別するためのカメラ識別情報を表示するためのカメラ識別情報表示装置および方法に関する。
【０００２】
【従来の技術】
スタジオ内における番組制作や放送用の中継等では、複数のビデオカメラが使用される。従来、このような複数のビデオカメラ（以下、単にカメラとも言う。）を使用する放送業務用のカメラシステムでは、各カメラは、それぞれ、カメラを制御するカメラ制御装置であるカメラコントロールユニット（以下、ＣＣＵと記す。）に接続される。そして、各カメラからのビデオ・オーディオ信号は、各ＣＣＵ内で処理される。各ＣＣＵから出力される信号は、各カメラ（ＣＣＵ）からの出力を切り替えて出力するプロダクションスイッチャに送られ、操作者がこのプロダクションスイッチャを操作することにより、使用する信号が選択される。
【０００３】
ところで、各カメラには、それぞれ別個のカメラ識別情報としてのカメラ番号が付与される。そして、ＣＣＵの入出力信号や、ＣＣＵに接続される機器は、カメラ番号に基づいて管理される。従来のカメラでは、カメラ番号が記されたプレートが差し込まれるプレート収納部が設けられ、このプレート収納部に、所望のカメラ番号が記されたプレートを差し込んで収納することにより、カメラ番号を表示するようにしていた。
【０００４】
図２３は、カメラとＣＣＵとプロダクションスイッチャとの接続関係の一例を表したものである。この例では、（Ａ）〜（Ｄ）と名付けられたカメラ１１１Ａ〜１１１Ｄと、各カメラ１１１Ａ〜１１１Ｄに接続されたＣＣＵ１１２Ａ〜１１２Ｄと、入力端子ＩＮ１〜ＩＮ４にそれぞれＣＣＵ１１２Ａ〜１１２Ｄが接続されたプロダクションスイッチャ１１３とを備えている。
【０００５】
図２３に示したように、従来は、カメラ１１１Ａ〜１１１ＤとＣＣＵ１１２Ａ〜１１２Ｄ、ＣＣＵ１１２Ａ〜１１２Ｄとプロダクションスイッチャ１１３は、それぞれケーブルによって物理的に接続されており、プロダクションスイッチャ１１３の各入力端子ＩＮ１〜ＩＮ４につながっている各カメラ１１１Ａ〜１１１Ｄのカメラ番号を変更することはまれであった。例えば、プロダクションスイッチャの入力端子ＩＮ１につながっているカメラ１１１Ａのカメラ番号を“１”と決めると、このカメラ１１１Ａのカメラ番号を他の番号に変えることはまれであった。そして、従来は、カメラ番号を変える場合には、前述のプレートを差し替えるようにしていた。
【０００６】
【発明が解決しようとする課題】
ところで、プロダクションスイッチャには、プロダクションスイッチャの各スイッチに割り当てるカメラ番号を表示すると共に、カメラ番号を変更できるようにしたものがある。例えば、ある番組の制作では、名称（Ａ）のカメラ１１１Ａのカメラ番号を“１”、名称（Ｂ）のカメラ１１１Ｂのカメラ番号を“２”、名称（Ｃ）のカメラ１１１Ｃのカメラ番号を“３”、名称（Ｄ）のカメラ１１１Ｄのカメラ番号を“４”として、４台のカメラを使用しているものとする。そして、次の番組では、大型のカメラは２台しか使わないので、大型の（Ａ）のカメラ１１１Ａのカメラ番号を“１”、大型の（Ｂ）のカメラ１１１Ｂのカメラ番号を“２”、小型の（Ｄ）のカメラ１１１Ｄのカメラ番号を“３”として、３台のカメラを使用するものとする。このような場合、各スイッチに割り当てるカメラ番号を変更できるプロダクションスイッチャ１１３では、各スイッチに対応して表示されるカメラ番号を変更するようにする。
【０００７】
しかしながら、従来は、上述のように、プロダクションスイッチャ側でカメラ番号を変更しても、カメラ側でプレートを差し替えなければ、プロダクションスイッチャ上でのカメラ番号とプレートによって表示されるカメラ上のカメラ番号とがくい違ってしまい、混乱を生じやすいという問題点があった。
【０００８】
本発明はかかる問題点に鑑みてなされたもので、その目的は、ビデオカメラ側で表示されるビデオカメラ識別情報と、各ビデオカメラからの出力を切り替えて出力する切り替え装置側で表示されるビデオカメラ識別情報とが対応するようにカメラ識別情報を表示することを可能にしたカメラ識別情報表示装置および方法を提供することにある。
【０００９】
【課題を解決するための手段】
請求項１記載のカメラ識別情報表示装置は、複数のビデオカメラからの出力を切り替えて出力するための切り替え装置を含むシステムに用いられるビデオカメラに設けられ、切り替え装置において設定され、この切り替え装置より送られてくる、ビデオカメラを識別するためのカメラ識別情報を入力する入力手段と、ビデオカメラに設けられ、入力手段によって入力されたカメラ識別情報を表示するための表示手段とを備えたものである。
【００１０】
請求項３記載のカメラ識別情報表示装置は、複数のビデオカメラからの出力を切り替えて出力するための切り替え装置を含むシステムに用いられるビデオカメラに設けられ、外部より送られてくる、ビデオカメラを識別するためのカメラ識別情報を入力する入力手段と、ビデオカメラに設けられ、入力手段によって入力されたカメラ識別情報を表示するための表示手段と備えたものである。
【００１１】
請求項４記載のカメラ識別情報表示装置は、複数のビデオカメラからの出力を切り替えて出力するための切り替え装置に設けられ、ビデオカメラにおいて設定され、このビデオカメラより送られてくる、ビデオカメラを識別するためのカメラ識別情報を入力する入力手段と、切り替え装置に設けられ、入力手段によって入力されたカメラ識別情報を表示するための表示手段と、切り替え装置に設けられ、複数のビデオカメラからの出力を切り替える選択スイッチとを備え、カメラ識別情報が、切り替え装置の選択スイッチの操作部分に表示するものである。
【００１２】
請求項６記載のカメラ識別情報表示装置は、複数のビデオカメラからの出力を切り替えて出力するための切り替え装置に設けられ、外部より送られてくる、ビデオカメラを識別するためのカメラ識別情報を入力する入力手段と、切り替え装置に設けられ、入力手段によって入力されたカメラ識別情報を表示するための表示手段と、切り替え装置に設けられ、複数のビデオカメラからの出力を切り替える選択スイッチとを備え、カメラ識別情報が、切り替え装置の選択スイッチの操作部分に表示するものである。
【００１３】
請求項７記載のカメラ識別情報表示方法は、複数のビデオカメラからの出力を切り替えて出力するための切り替え装置を含むシステムに用いられるビデオカメラにおいて、切り替え装置において設定され、この切り替え装置より送られてくる、ビデオカメラを識別するためのカメラ識別情報を入力し、入力したカメラ識別情報を表示するものである。
【００１４】
請求項９記載のカメラ識別情報表示方法は、複数のビデオカメラからの出力を切り替えて出力するための切り替え装置を含むシステムに用いられるビデオカメラにおいて、外部より送られてくる、ビデオカメラを識別するためのカメラ識別情報を入力し、入力したカメラ識別情報を表示するものである。
【００１５】
請求項１０記載のカメラ識別情報表示方法は、複数のビデオカメラからの出力を切り替えて出力するための切り替え装置において、ビデオカメラにおいて設定され、このビデオカメラより送られてくる、ビデオカメラを識別するためのカメラ識別情報を入力し、入力したカメラ識別情報を切り替え装置の選択スイッチの操作部分に表示するものである。
【００１６】
請求項１２記載のカメラ識別情報表示方法は、複数のビデオカメラからの出力を切り替えて出力するための切り替え装置において、外部より送られてくる、ビデオカメラを識別するためのカメラ識別情報を入力し、入力したカメラ識別情報を切り替え装置の選択スイッチの操作部分に表示するものである。
請求項１３記載のカメラ識別情報表示システムは、複数のビデオカメラと、これらの複数のビデオカメラからの出力を切り替えて出力するための切り替え装置とを含むシステムであって、複数のビデオカメラは、それぞれ、切り替え装置において設定され、この切り替え装置より送られてくる、ビデオカメラを識別するためのカメラ識別情報を入力する第１の入力手段と、第１の入力手段によって入力されたカメラ識別情報を表示するための第１の表示手段とを備え、切り替え装置は、ビデオカメラにおいて設定され、このビデオカメラより送られてくる、ビデオカメラを識別するためのカメラ識別情報を入力する第２の入力手段と、第２の入力手段によって入力されたカメラ識別情報を表示するための第２の表示手段とを備えたものである。
請求項１４記載のカメラ識別情報表示システムは、複数のビデオカメラと、これらの複数のビデオカメラからの出力を切り替えて出力するための切り替え装置とを含むシステムであって、複数のビデオカメラは、それぞれ、外部より送られてくる、ビデオカメラを識別するためのカメラ識別情報を入力する第１の入力手段と、第１の入力手段によって入力されたカメラ識別情報を表示するための第１の表示手段とを備え、切り替え装置は、外部より送られてくる、ビデオカメラを識別するためのカメラ識別情報を入力する第２の入力手段と、第２の入力手段によって入力されたカメラ識別情報を表示するための第２の表示手段とを備えたものである。
【００１７】
請求項１記載のカメラ識別情報表示装置では、切り替え装置において設定され、この切り替え装置より送られてくるカメラ識別情報が、ビデオカメラに設けられた入力手段によって入力され、表示手段によって表示される。
【００１８】
請求項３記載のカメラ識別情報表示装置では、外部より送られてくるカメラ識別情報が、ビデオカメラに設けられた入力手段によって入力され、表示手段によって表示される。
【００１９】
請求項４記載のカメラ識別情報表示装置では、ビデオカメラにおいて設定され、このビデオカメラより送られてくるカメラ識別情報が、切り替え装置に設けられた入力手段によって入力され、表示手段によって切り替え装置の選択スイッチの操作部分に表示される。
【００２０】
請求項６記載のカメラ識別情報表示装置では、外部より送られてくるカメラ識別情報が、切り替え装置に設けられた入力手段によって入力され、表示手段によって切り替え装置の選択スイッチの操作部分に表示される。
【００２１】
請求項７記載のカメラ識別情報表示方法では、切り替え装置において設定され、この切り替え装置より送られてくるカメラ識別情報が、ビデオカメラに入力され、表示される。
【００２２】
請求項９記載のカメラ識別情報表示方法では、外部より送られてくるカメラ識別情報が、ビデオカメラに入力され、表示される。
【００２３】
請求項１０記載のカメラ識別情報表示方法では、ビデオカメラにおいて設定され、このビデオカメラより送られてくるカメラ識別情報が、切り替え装置に入力され、切り替え装置の選択スイッチの操作部分に表示される。
【００２４】
請求項１２記載のカメラ識別情報表示装置では、外部より送られてくるカメラ識別情報が、切り替え装置に入力され、切り替え装置の選択スイッチの操作部分に表示される。
請求項１３記載のカメラ識別情報表示システムでは、切り替え装置において設定され、この切り替え装置より送られてくるカメラ識別情報が、ビデオカメラに設けられた入力手段によって入力され、表示手段によって表示されると共に、ビデオカメラにおいて設定され、このビデオカメラより送られてくるカメラ識別情報が、切り替え装置に設けられた入力手段によって入力され、表示手段によって表示される。
請求項１４記載のカメラ識別情報表示システムでは、外部より送られてくるカメラ識別情報が、ビデオカメラに設けられた入力手段によって入力され、表示手段によって表示されると共に、外部より送られてくるカメラ識別情報が、切り替え装置に設けられた入力手段によって入力され、表示手段によって表示される。
【００２５】
【発明の実施の形態】
以下、本発明の実施の形態について図面を参照して詳細に説明する。
【００２６】
図１は、本発明の一実施の形態に係るカメラ識別情報表示装置を含むシステムの構成の一例を示すブロック図である。このシステムは、（Ａ）〜（Ｄ）と名付けられたビデオカメラ（以下、単にカメラとも言う。）１１Ａ〜１１Ｄと、各カメラ１１Ａ〜１１Ｄに接続され、各カメラ１１Ａ〜１１Ｄを制御するためのカメラ制御装置としてのカメラコントロールユニット（以下、ＣＣＵと記す。）１２Ａ〜１２Ｄと、複数のカメラからの出力信号を切り替えて出力するための切り替え装置としてのプロダクションスイッチャ１３とを備えている。
【００２７】
図１に示した例では、プロダクションスイッチャ１３は、６つの入力端子ＩＮ１〜ＩＮ６と、１つの出力端子ＯＵＴとを有している。ＣＣＵ１２Ａ〜１２Ｄは、入力端子ＩＮ１〜ＩＮ４に接続されている。
【００２８】
図１に示したシステムは、更に、カメラ１１Ａ〜１１ＤおよびＣＣＵ１２Ａ〜１２Ｄからなるカメラシステム１０とプロダクションスイッチャ１３との間で入出力される、カメラを制御するための制御信号の伝達の経路を制御するための伝達経路制御装置としてのカメラコマンドネットワークユニット（以下、ＣＮＵと記す。）１４を備えている。ＣＮＵ１４は、具体的には、ＣＣＵ１２Ａ〜１２Ｄとプロダクションスイッチャ１３とに接続されている。
【００２９】
また、カメラ１１Ａ〜１１ＤとＣＣＵ１２Ａ〜１２Ｄは、ケーブル２１Ａ〜２１Ｄによって接続されている。ＣＣＵ１２Ａ〜１２Ｄとプロダクションスイッチャ１３は、ケーブル２２Ａ〜２２Ｄによって接続されている。
【００３０】
また、図１に示したシステムでは、ＣＣＵ１２Ａ〜１２ＤとＣＮＵ１４との間に、制御信号の伝送路２３Ａ〜２３Ｄが設けられ、ＣＮＵ１４とプロダクションスイッチャ１３との間に、制御信号の伝送路２４が設けられている。これらの伝送路２３Ａ〜２３Ｄ，２４は、例えば、シリアルデータ信号の伝送路になっている。
【００３１】
図１に示したシステムは、更に、伝送路２４に接続された仮想マトリクス表示・切替器１５を備えている。
【００３２】
なお、図示しないが、ＣＮＵ１４には、各カメラ１１Ａ〜１１Ｄを遠隔制御するためのリモートコントロールパネルや、各カメラ１１Ａ〜１１Ｄに対して、リモートコントロールパネルによる制御よりも複雑な制御を行うためのマスタセットアップユニット等が接続されるようになっている。
【００３３】
カメラ１１Ａ〜１１ＤとＣＣＵ１２Ａ〜１２Ｄとを接続するケーブル２１Ａ〜２１Ｄには、例えば、３重同軸ケーブルや光ファイバが用いられる。３重同軸ケーブルを用いる場合には、各種の信号は、アナログ信号の周波数分割多重によって多重化されて伝送される。光ファイバを用いる場合には、各種の信号は、ディジタル信号の時分割多重によって多重化されて伝送される。
【００３４】
プロダクションスイッチャ１３は、入力端子ＩＮ１〜ＩＮ６より入力される信号を切り替えて出力端子ＯＵＴより出力する切り替え部１６と、この切り替え部１６を制御する制御部１７と、この制御部１７に接続され、各種の操作と各種の表示を行うための操作部１８とを備えている。制御信号の伝送路２４は、制御部１７に接続されている。制御部１７は、例えばマイクロコンピュータによって構成されている。
【００３５】
ここで、図１に示したシステムの動作について簡単に説明する。このシステムでは、各カメラ１１Ａ〜１１Ｄの出力信号は、それぞれ、ケーブル２１Ａ〜２１Ｄを介して、ＣＣＵ１２Ａ〜１２Ｄに入力され、このＣＣＵ１２Ａ〜１２Ｄによって信号処理されて出力される。各ＣＣＵ１２Ａ〜１２Ｄの出力信号は、それぞれ、ケーブル２１Ａ〜２１Ｄを介して、プロダクションスイッチャ１３の入力端子ＩＮ１〜ＩＮ４に入力され、切り替え部１６に入力される。切り替え部１６は、操作部１８における操作に応じて、制御部１７の制御の下で、入力端子ＩＮ１〜ＩＮ４に入力される信号を切り替えて、出力端子ＯＵＴに出力する。また、ＣＮＵ１４および伝送路２３Ａ〜２３Ｄ，２４を介して、ＣＣＵ１２Ａ〜１２Ｄとプロダクションスイッチャ１３との間で、制御信号が伝送される。仮想マトリクス表示・切替器１５については、後で詳しく説明する。
【００３６】
本実施の形態では、カメラ１１（符号１１Ａ〜１１Ｄを代表する。）は、カメラを識別するためのカメラ識別情報としてのカメラ番号を、プロダクションスイッチャ１３における設定に応じて、自動的に表示するための表示手段を備えている。図２は、カメラ１１におけるカメラ番号の表示手段を示す説明図である。カメラ１１は、表示手段として、カメラ番号表示器２６と、ビューファインダ２７とを備えている。カメラ番号表示器２６は、例えば、マトリクス状に配列された複数のＬＥＤ（発光ダイオード）からなる表示器である。ビューファインダ２７は、撮像している画像を表示するためのものであるが、本実施の形態では、カメラ番号の表示手段を兼ねている。このビューファインダ２７において、カメラ番号は、例えば画面の下端部近傍に表示されるようになっている。なお、カメラ番号表示器２６は、図２に示したようにカメラ本体１１ａの前端部に限らず、カメラ本体１１ａの側部や後端部に設けてもよい。
【００３７】
図３は、カメラ１１の構成の一例を示すブロック図である。このカメラ１１は、被写体からの光を集光して、結像するためのレンズブロック３１と、このレンズブロック３１を通過する光の光路上に設けられた絞り３２と、この絞り３２を通過した、被写体からの光を、赤色光、緑色光、青色光に分解し、赤色画像、緑色画像、青色画像を形成するプリズム３３と、このプリズム３３によって形成される赤色画像、緑色画像、青色画像を撮像する３つのＣＣＤ３４Ｒ，３４Ｇ，３４Ｂとを有している。３つのＣＣＤ３４Ｒ，３４Ｇ，３４Ｂは、それぞれ、Ｒ（赤）信号、Ｇ（緑）信号、Ｂ（青）信号を出力するようになっている。
【００３８】
カメラ１１は、更にＣＣＤ３４Ｒ，３４Ｇ，３４Ｂより出力されるＲ信号、Ｇ信号、Ｂ信号に対して、ホワイトレベルの調整等のアナログの信号処理を施すアナログ信号処理部３５と、このアナログ信号処理部３５の出力信号を、アナログ−ディジタル（以下、Ａ／Ｄと記す。）変換するＡ／Ｄ変換器３６Ｒ，３６Ｇ，３６Ｂと、このＡ／Ｄ変換器３６Ｒ，３６Ｇ，３６Ｂの出力信号に対して、ブラックレベルの調整等のディジタルの信号処理を施すディジタルシグナルプロセッサ（以下、ＤＳＰと記す。）３７と、このＤＳＰ３７の出力信号を、ディジタル−アナログ（以下、Ｄ／Ａと記す。）変換するＤ／Ａ変換器３８Ｒ，３８Ｇ，３８Ｂと、絞り３２、アナログ信号処理部３５、ＤＳＰ３７を制御すると共に、制御信号の入出力を行う制御部４０と、Ｄ／Ａ変換器３８Ｒ，３８Ｇ，３８Ｂの出力信号と制御部４０からの制御信号とを変調すると共に多重化してＣＣＵへ送出し、また、ＣＣＵから送られてきた信号を復調すると共に各信号に分離する変復調回路３９とを備えている。制御部４０は、例えばマイクロコンピュータによって構成されている。
【００３９】
カメラ１１は、更に、制御部４０に接続され、カメラ番号を設定するためのカメラ番号設定スイッチ４１と、制御部４０に接続され、制御部４０より出力されるカメラ番号表示用の信号を出力するための出力ポート回路４２と、この出力ポート回路４２より出力されるカメラ番号表示用の信号に基づいて、カメラ番号表示器２６を駆動するＬＥＤ表示駆動回路４３とを備えている。
【００４０】
カメラ１１は、更に、制御部４０に接続され、制御部４０より出力されるカメラ番号表示用の信号を入力し、カメラ番号表示用のキャラクタ信号を生成するキャラクタジェネレータ４４と、Ｄ／Ａ変換器３８Ｒ，３８Ｇ，３８Ｂの出力信号を増幅するアンプ４５と、キャラクタジェネレータ４４より出力されるキャラクタ信号とアンプ４５の出力信号とを合成して、ビューファインダ２７に出力する合成回路４６とを備えている。
【００４１】
カメラ番号表示器２６、ビューファインダ２７、制御部４０、出力ポート回路４２、ＬＥＤ表示駆動回路４３、キャラクタジェネレータ４４および合成回路４６は、本実施の形態に係るカメラ識別情報表示装置を構成する。
【００４２】
図４は、ＣＣＵ１２（符号１２Ａ〜１２Ｄを代表する。）の構成の一例を示すブロック図である。このＣＣＵ１２は、カメラ１１との間で入出力される信号の変調および復調を行う変復調回路５１と、この変復調回路５１の出力信号のうちのビデオ信号を入力し、カラー調整を行うカラーコレクタ５２と、このカラーコレクタ５２の出力信号に対して、コントラストの制御を行うコントラスト制御回路５３と、このコントラスト制御回路５３の出力信号に対してサチュレーションの制御を行い、プロダクションスイッチャ１３に出力するサチュレーション制御回路５４とを備えている。
【００４３】
ＣＣＵ１２は、更に、カラーコレクタ５２、コントラスト制御回路５３およびサチュレーション制御回路５４を制御する制御部５５を備えている。この制御部５５は、変復調回路５１の出力信号のうちの制御信号を入力すると共に、変復調回路５１に対して制御信号を出力し、また、ＣＮＵ１４との間で制御信号の入出力を行うようになっている。制御部５５は、例えばマイクロコンピュータによって構成されている。
【００４４】
ＣＣＵ１２は、更に、制御部５５に接続され、この制御部５５より出力されるカメラ番号表示用の信号に基づいてカメラ番号を表示するための表示部５６を備えている。
【００４５】
図５は、ＣＮＵ１４の構成の一例を示すブロック図である。このＣＮＵ１４は、ＣＣＵ１２Ａ〜１２Ｄやプロダクションスイッチャ１３に接続される複数の入力端子とＣＣＵ１２Ａ〜１２Ｄやプロダクションスイッチャ１３に接続される複数の出力端子との間を任意に接続可能なマトリクススイッチ６１と、このマトリクススイッチ６１における複数の入力端子と複数の出力端子とに接続されていると共に、マトリクススイッチ６１を制御するＣＰＵ（中央処理装置）６２と、バス６３を介してＣＰＵ６２に接続されたＲＯＭ（リード・オンリ・メモリ）６４、ＲＡＭ（ランダム・アクセス・メモリ）６５、ＥＥＰＲＯＭ（電気的消去可能なプログラマブルＲＯＭ）６６およびキャラクタジェネレータ６７とを備えている。
【００４６】
ＲＯＭ６４には、ＣＰＵ６２が実行するプログラムが格納されている。ＲＡＭ６５は、ＣＰＵ６２の動作における作業領域となるものである。ＥＥＰＲＯＭ６６には、マトリクススイッチ６１の状態を規定するデータが格納されると共に、後述する仮想マトリクスが保持されるようになっている。キャラクタジェネレータ６７は、ＣＰＵ６２の制御の下で、ＣＮＵ１４の操作用画面を表示するためのキャラクタ信号を生成し、図示しないモニタに出力するようになっている。
【００４７】
図６は、プロダクションスイッチャ１３の操作部１８の要部の構成を示したものである。この操作部１８は、上下２段に配置されたスイッチ７１ａ〜７１ｆ，７２ａ〜７２ｆと、プロダクションスイッチャ１３の出力を切り替える操作に使用されるレバー７３とを備えている。上段のスイッチ７１ａ〜７１ｆは、それぞれ、入力端子ＩＮ１〜ＩＮ６に対応している。下段のスイッチ７２ａ〜７２ｆも、それぞれ、入力端子ＩＮ１〜ＩＮ６に対応している。各スイッチ７１ａ〜７１ｆ，７２ａ〜７２ｆは、それぞれ、２つの状態を選択できる押しボタンスイッチになっていると共に、入力端子ＩＮ１〜ＩＮ６に付けた名称（以下、ソースネームと言う。）を表示する表示部を有している。この表示部には、例えばＬＥＤや液晶表示装置が用いられる。
【００４８】
ソースネームは、例えば、「１ＣＡＭ」，「２ＣＡＭ」，「３ＣＡＭ」，「４ＣＡＭ」というような、プロダクションスイッチャ１３側でカメラを識別するための名称である。また、このソースネームは、カメラ番号に対応する。例えば、ソースネーム「１ＣＡＭ」，「２ＣＡＭ」，「３ＣＡＭ」，「４ＣＡＭ」は、それぞれ、カメラ番号“１”，“２”，“３”，“４”に対応している。従って、このソースネームも、本発明におけるカメラ識別情報に相当する。
【００４９】
図６には、スイッチ７１ａ〜７１ｄ，７２ａ〜７２ｄの表示部に、ソースネーム「１ＣＡＭ」，「２ＣＡＭ」，「３ＣＡＭ」，「４ＣＡＭ」を、簡易的に、「１Ｃ」，「２Ｃ」，「３Ｃ」，「４Ｃ」と表示した例を示している。
【００５０】
各スイッチ７１ａ〜７１ｆ，７２ａ〜７２ｆに表示させるソースネームは、後述する方法によって選択できるようになっている。また、各スイッチ７１ａ〜７１ｆ，７２ａ〜７２ｆには、カメラ１１におけるカメラ番号の設定に応じて、カメラ番号に対応するソースネームが、自動的に表示されるようになっている。
【００５１】
プロダクションスイッチャ１３の操作部１８におけるスイッチ７１ａ〜７１ｆ，７２ａ〜７２ｆおよび制御部１７は、本実施の形態に係るカメラ識別情報表示装置を構成する。
【００５２】
図６に示した操作部１８では、上段のスイッチ７１ａ〜７１ｆと下段のスイッチ７２ａ〜７２ｆの中から、それぞれ一つずつを押して選択するようになっている。プロダクションスイッチャ１３は、レバー７３を、可動範囲の上端と下端との間で操作することにより、選択された一方のスイッチに対応した入力端子の入力信号を出力する状態から、選択された他方のスイッチに対応した入力端子の入力信号を出力する状態へ移行するようになっている。また、プロダクションスイッチャ１３は、レバー７３が、可動範囲の途中にある場合には、その位置に応じた割合で、選択された２つのスイッチに対応した２つの入力端子の入力信号を合成して出力するようになっている。
【００５３】
ここで、図７を参照して、各スイッチ７１ａ〜７１ｆ，７２ａ〜７２ｆに表示させるソースネームを選択する方法について説明する。図７は、プロダクションスイッチャ１３の操作部１８の他の部分を示したものである。この図に示したように、操作部１８には、表示部７４と、ソースネームを決定しようとするスイッチを選択するためのロータリエンコーダ７５と、ソースネームを選択するためのロータリエンコーダ７６と、ソースネームを決定するための設定スイッチ７７とが設けられている。表示部７４には、例えば、液晶表示装置が用いられる。
【００５４】
表示部７４には、各スイッチ７１ａ〜７１ｆ，７２ａ〜７２ｆに対応する番号（１〜６）が表示されると共に、その番号の右側に、ソースネームが表示されるれる領域７４ａが設けられ、更に、この領域７４ａの右側に、ソースネームを決定しようとするスイッチを指す矢印７４ｂが表示されるようになっている。矢印７４ｂは、ロータリエンコーダ７５を回すことにより、上下方向に移動するようになっている。図７は、番号が“２”のスイッチが選択されている状態を表している。
【００５５】
また、表示部７４には、更に、矢印７４ｂの右側に、ソースネームを選択するための領域７４ｃが設けられている。この領域７４ｃには、選択可能なソースネームが、縦に並べられて表示されている。この領域７４ｃにおいて、選択されたソースネームの部分は、他の部分と輝度等が異なって区別されるようになっている。ロータリエンコーダ７６を回すことにより、領域７４ｃにおいて他の部分と区別された部分が上下方向に移動し、これにより、ソースネームを選択できるようになっている。図７は、ソースネーム“２Ｃ”が選択されている状態を表している。
【００５６】
上述のように、ロータリエンコーダ７５，７６を回して、ソースネームを決定しようとするスイッチとソースネームとを選択した後、設定スイッチ７７を押すと、領域７４ａ中の、選択されたスイッチに対応する部分（矢印７４ｂで指し示された部分）に、領域７４ｃにおいて選択されたソースネームが表示されるようになっている。
【００５７】
なお、上述のようなソースネームの選択のための動作は、制御部１７によって制御されるようになっている。
【００５８】
次に、図８ないし図１２を参照して、ＣＮＵ１４（ＥＥＰＲＯＭ６６）によって保持される仮想マトリクスと、仮想マトリクス表示・切替器１５について説明する。本実施の形態において、仮想マトリクスとは、プロダクションスイッチャ１３の入力端子ＩＮ１〜ＩＮ６と、ソースネームと、カメラの名称との対応関係を表す情報である。ここで、ソースネームは、既に説明したように、プロダクションスイッチャ１３側でカメラを識別するための名称であり、「１ＣＡＭ」，「２ＣＡＭ」といった名称である。従って、同じカメラであっても、それに対するソースネームは、適宜変更することがある。一方、カメラの名称は、カメラそのものを指すものであり、（Ａ），（Ｂ）といった名称である。従って、同じカメラであっても、それに対するカメラの名称は、変更することも可能ではあるが、通常は変更しない。
【００５９】
仮想マトリクス表示・切替器１５は、上述の仮想マトリクスの内容を表示すると共に、仮想マトリクスの切り替えを行うための装置である。図８は、仮想マトリクス表示・切替器１５における操作部の一部の外観を示したものである。この図に示したように、仮想マトリクス表示・切替器１５における操作部には、プロダクションスイッチャ１３の入力端子ＩＮ１〜ＩＮ６を表す文字が、縦に並べられて記されている。なお、この文字には、入力端子ＩＮ１〜ＩＮ６に対応するＣＣＵの名称「ＣＣＵ１」〜「ＣＣＵ６」が併記されている。入力端子ＩＮ１〜ＩＮ６を表す文字の右側には、対応するソースネームが表示される領域８１が設けられている。この領域８１には、プロダクションスイッチャ１３の制御部１７からの制御信号に基づいて、プロダクションスイッチャ１３において選択されたソースネームが表示されるようになっている。
【００６０】
仮想マトリクス表示・切替器１５における操作部において、入力端子ＩＮ１〜ＩＮ６を表す文字の左側には、対応するカメラの名称が表示される領域８２が設けられている。この領域８２の更に左側には、この領域８２に表示されるカメラの名称を変更するためのスイッチ８３ａ，８３ｂが設けられている。一方のスイッチ８３ａを押すと、選択可能な複数のカメラの名称、例えば（Ａ）〜（Ｆ）の中で、領域８２に表示されるカメラの名称が、一定の順序で変更されるようになっている。他方のスイッチ８３ｂを押すと、選択可能な複数のカメラの名称の中で、領域８２に表示されるカメラの名称が、スイッチ８３ａを押した場合とは逆の順序で変更されるようになっている。
【００６１】
仮想マトリクス表示・切替器１５において選択されたカメラの名称の情報は、制御信号によってＣＮＵ１４に送られ、この情報に基づいて、ＣＮＵ１４（ＥＥＰＲＯＭ６６）によって保持される仮想マトリクスが切り替えられるようになっている。
【００６２】
領域８１，８２における表示部には、例えばＬＥＤや液晶表示装置が用いられる。また、上述のような仮想マトリクスの内容の表示や、仮想マトリクスの切り替えの動作は、例えば、マイクロコンピュータによって制御されるようになっている。
【００６３】
ここで、図９および図１０に、プロダクションスイッチャ１３の入力端子とソースネームとカメラの名称との実際の対応関係と、仮想マトリクスの内容の一例を示す。図９は、名称（Ａ），（Ｂ），（Ｃ），（Ｄ）のカメラ１１Ａ〜１１ＤがそれぞれＣＣＵ１２Ａ〜１２Ｄに接続され、ＣＣＵ１２Ａ〜１２Ｄがそれぞれプロダクションスイッチャ１３の入力端子ＩＮ１〜ＩＮ４に接続されたシステムを表している。
【００６４】
図９に示したシステムの場合において、入力端子ＩＮ１〜ＩＮ４に対応するソースネームを「１ＣＡＭ」，「２ＣＡＭ」，「３ＣＡＭ」，「４ＣＡＭ」としたとすると、仮想マトリクスの内容は、図１０に示したようになる。すなわち、仮想マトリクスは、以下のことを表している。
入力端子ＩＮ１につながるカメラは、ソースネームが「１ＣＡＭ」で、カメラ番号が“１”で、カメラの名称は（Ａ）である。
入力端子ＩＮ２につながるカメラは、ソースネームが「２ＣＡＭ」で、カメラ番号が“２”で、カメラの名称は（Ｂ）である。
入力端子ＩＮ３につながるカメラは、ソースネームが「３ＣＡＭ」で、カメラ番号が“３”で、カメラの名称は（Ｃ）である。
入力端子ＩＮ４につながるカメラは、ソースネームが「４ＣＡＭ」で、カメラ番号が“４”で、カメラの名称は（Ｄ）である。
【００６５】
なお、この場合、プロダクションスイッチャ１３の操作部１８における各スイッチの表示は、図６に示したようになる。
【００６６】
次に、図９に示した状態からカメラとＣＣＵとの接続関係は変えずに、名称（Ｃ）のカメラ１１Ｃを使用せずに、入力端子ＩＮ４に接続された名称（Ｄ）のカメラ１１Ｄのソースネームを「３ＣＡＭ」に変更する場合を考える。この場合、プロダクションスイッチャ１３において、入力端子ＩＮ４に対応するソースネームを「４ＣＡＭ」から「３ＣＡＭ」に変更すると共に、入力端子ＩＮ３についてはソースネームを設定しない、すなわち入力端子ＩＮ３は使用しないようにする。この場合には、仮想マトリクスは、以下のことを表すように変更される。
入力端子ＩＮ１につながるカメラは、ソースネームが「１ＣＡＭ」で、カメラ番号が“１”で、カメラの名称は（Ａ）である。
入力端子ＩＮ２につながるカメラは、ソースネームが「２ＣＡＭ」で、カメラ番号が“２”で、カメラの名称は（Ｂ）である。
入力端子ＩＮ４につながるカメラは、ソースネームが「３ＣＡＭ」で、カメラ番号が“３”で、カメラの名称は（Ｄ）である。
【００６７】
なお、この場合、プロダクションスイッチャ１３の操作部１８では、スイッチ７１ａ，７２ａに「１Ｃ」が表示され、スイッチ７１ｂ，７２ｂに「２Ｃ」が表示され、スイッチ７１ｄ，７２ｄに「３Ｃ」が表示される。また、スイッチ７１ｂ，７２ｂとスイッチ７１ｄ，７２ｄとの間に、使用されないスイッチ７１ｃ，７２ｃが存在することになる。このような場合には、プロダクションスイッチャ１３の制御部１７が、自動的に、スイッチ７１ｃ，７２ｃに「３Ｃ」を表示し、スイッチ７１ｄ，７２ｄにソースネームを表示しないようにして、使用されるスイッチの配置を詰めるようにしてもよい。
【００６８】
次に、図９に示した状態から、カメラとＣＣＵとの接続関係を変えて、図１１に示したように、名称（Ｃ）のカメラ１１ＣをＣＣＵ１２Ｄに接続し、名称（Ｄ）のカメラ１１ＤをＣＣＵ１２Ｃに接続すると共に、名称（Ｃ）のカメラ１１Ｃを使用せずに、入力端子ＩＮ４に接続された名称（Ｃ）のカメラ１１Ｃのソースネームを「３ＣＡＭ」とする場合を考える。これは、元々ソースネームが「３ＣＡＭ」であったカメラ１１Ｃに対して、ＣＣＵとの接続関係が変化した後でも、ソースネーム「３ＣＡＭ」を与えるような場合である。
【００６９】
この場合、プロダクションスイッチャ１３において、入力端子ＩＮ４に対応するソースネームを「４ＣＡＭ」から「３ＣＡＭ」に変更すると共に、入力端子ＩＮ３についてはソースネームを設定しない、すなわち入力端子ＩＮ３は使用しないようにする。更に、この場合には、仮想マトリクス表示・切替器１５において、入力端子ＩＮ３に対応するカメラの名称を（Ｃ）から（Ｄ）に変更し、入力端子ＩＮ４に対応するカメラの名称を（Ｄ）から（Ｃ）に変更する。
【００７０】
この場合には、仮想マトリクスは、図１２に示したように、以下のことを表すように変更される。
入力端子ＩＮ１につながるカメラは、ソースネームが「１ＣＡＭ」で、カメラ番号が“１”で、カメラの名称は（Ａ）である。
入力端子ＩＮ２につながるカメラは、ソースネームが「２ＣＡＭ」で、カメラ番号が“２”で、カメラの名称は（Ｂ）である。
入力端子ＩＮ４につながるカメラは、ソースネームが「３ＣＡＭ」で、カメラ番号が“３”で、カメラの名称は（Ｃ）である。
【００７１】
このように、仮想マトリクスを使用することにより、カメラとＣＣＵとの接続関係も分かることになる。
【００７２】
次に、図１３ないし図２１を参照して、本実施の形態に係るカメラ識別情報表示装置の動作について説明する。なお、以下の説明は、本実施の形態に係るカメラ識別情報表示方法の説明を兼ねている。
【００７３】
まず、図１３ないし図１６の流れ図を参照して、プロダクションスイッチャ１３におけるソースネームの設定に応じて、カメラ１１においてカメラ番号を自動的に表示する動作について説明する。
【００７４】
図１３は、カメラ番号の表示に関わるプロダクションスイッチャ１３の動作を示す流れ図である。この動作では、まず、プロダクションスイッチャ１３の制御部１７は、操作部１８によって各入力端子毎に設定されたソースネームを取得する（ステップＳ１０１）。次に、制御部１７は、取得したソースネームを、操作部１７の各スイッチ７１ａ〜７１ｆ，７２ａ〜７２ｆに表示する（ステップＳ１０２）。次に、制御部１７は、シリアルデータ信号である制御信号によって、ＣＮＵ１４にソースネームを送り（ステップＳ１０３）、カメラ番号の表示に関わる動作を終了する。
【００７５】
図１４は、カメラ番号の表示に関わるＣＮＵ１４の動作を示す流れ図である。この動作では、まず、ＣＮＵ１４のＣＰＵ６２は、プロダクションスイッチャ１３の制御部１７から送られてきたソースネームを受信する（ステップＳ１１１）。次に、ＣＰＵ６２は、仮想マトリクスを用いて、ソースネームを各カメラのカメラ番号に置き換える（ステップＳ１１２）。次に、ＣＰＵ６２は、制御信号によって、各ＣＣＵ１２に対してカメラ番号を送り（ステップＳ１１３）、カメラ番号の表示に関わる動作を終了する。
【００７６】
図１５は、カメラ番号の表示に関わるＣＣＵ１２の動作を示す流れ図である。この動作では、まず、ＣＣＵ１２の制御部５５は、ＣＮＵ１４から送られてきたカメラ番号を受信する（ステップＳ１２１）。次に、制御部５５は、受信したカメラ番号を、変復調回路５１を介して、接続されているカメラ１１に送信する（ステップＳ１２２）。次に、制御部５５は、ＣＣＵ１２にカメラ番号表示機能があるか否かを判断する（ステップＳ１２３）。カメラ番号表示機能がある場合（Ｙ）には、制御部５５は、表示部５６にカメラ番号を表示して（ステップＳ１２４）、カメラ番号の表示に関わる動作を終了する。カメラ番号表示機能がない場合（ステップＳ１２３；Ｎ）には、制御部５５は、カメラ番号の表示に関わる動作を終了する。
【００７７】
図１６は、カメラ番号の表示に関わるカメラ１１の動作を示す流れ図である。この動作では、まず、カメラ１１の制御部４０は、ＣＣＵ１２から送られてきたカメラ番号を、変復調回路３９を介して受信する（ステップＳ１３１）。次に、制御部４０は、カメラ番号表示用の信号を出力ポート回路４２に出力して、カメラ番号をカメラ番号表示器２６に表示する（ステップＳ１３２）。次に、制御部４０は、カメラ番号表示用の信号をキャラクタジェネレータ４４に出力して、カメラ番号をビューファインダ２７に表示して（ステップＳ１３２）、カメラ番号の表示に関わる動作を終了する。
【００７８】
図１７は、上述のプロダクションスイッチャ１３、ＣＮＵ１４、ＣＣＵ１２およびカメラ１１間の制御信号の流れと内容の一例を表したものである。この例では、プロダクションスイッチャ１３は、ＣＮＵ１４へ、入力端子ＩＮ１に対応するソースネームが「１ＣＡＭ」で、入力端子ＩＮ２に対応するソースネームが「２ＣＡＭ」で、入力端子ＩＮ３に対応するソースネームが「３ＣＡＭ」で、入力端子ＩＮ４に対応するソースネームが「４ＣＡＭ」であることを示す制御信号を送っている。この場合、ＣＮＵ１４は、ＣＣＵ（１）１２Ａに対してカメラ番号（図では、ＣＡＭＮＯ．と記す。）が“１”であることを示す制御信号を送り、ＣＣＵ（２）１２Ｂに対してカメラ番号が“２”であることを示す制御信号を送り、ＣＣＵ（３）１２Ｃに対してカメラ番号が“３”であることを示す制御信号を送り、ＣＣＵ（４）１２Ｄに対してカメラ番号が“４”であることを示す制御信号を送る。ＣＣＵ（１）１２Ａは、カメラ（Ａ）１１Ａに対して、カメラ番号が“１”であることを示す制御信号を送り、ＣＣＵ（２）１２Ｂは、カメラ（Ｂ）１１Ｂに対して、カメラ番号が“２”であることを示す制御信号を送り、ＣＣＵ（３）１２Ｃは、カメラ（Ｃ）１１Ｃに対して、カメラ番号が“３”であることを示す制御信号を送り、ＣＣＵ（４）１２Ｄは、カメラ（Ｄ）１１Ｄに対して、カメラ番号が“４”であることを示す制御信号を送る。各カメラ１１Ａ〜１１Ｄは、送られてきた制御信号に応じて、それぞれ、カメラ番号“１”〜“４”を表示する。
【００７９】
次に、図１８ないし図２１の流れ図を参照して、カメラ１１におけるカメラ番号の設定に応じて、プロダクションスイッチャ１３においてソースネームを自動的に表示する動作について説明する。
【００８０】
図１８は、ソースネームの表示に関わるカメラ１１の動作を示す流れ図である。この動作では、まず、カメラ１１の制御部４０は、カメラ番号設定スイッチ４１によって設定されたカメラ番号を取得する（ステップＳ２０１）。次に、制御部４０は、カメラ番号表示用の信号を出力ポート回路４２に出力して、カメラ番号をカメラ番号表示器２６に表示する（ステップＳ２０２）。次に、制御部４０は、カメラ番号表示用の信号をキャラクタジェネレータ４４に出力して、カメラ番号をビューファインダ２７に表示する（ステップＳ２０３）。次に、制御部４０は、変復調回路３９を介して、カメラ番号をＣＣＵ１２に送信して（ステップＳ２０４）、ソースネームの表示に関わる動作を終了する。
【００８１】
図１９は、ソースネームの表示に関わるＣＣＵ１２の動作を示す流れ図である。この動作では、まず、ＣＣＵ１２の制御部５５は、変復調回路５１を介して、カメラ１１から送られてきたカメラ番号を受信する（ステップＳ２１１）。次に、制御部５５は、受信したカメラ番号を、制御信号によって、ＣＮＵ１４に送信する（ステップＳ２１２）。次に、制御部５５は、ＣＣＵ１２にカメラ番号表示機能があるか否かを判断する（ステップＳ２１３）。カメラ番号表示機能がある場合（Ｙ）には、制御部５５は、表示部５６にカメラ番号を表示して（ステップＳ２１４）、カメラ番号の表示に関わる動作を終了する。カメラ番号表示機能がない場合（ステップＳ２１３；Ｎ）には、制御部５５は、ソースネームの表示に関わる動作を終了する。
【００８２】
図２０は、ソースネームの表示に関わるＣＮＵ１４の動作を示す流れ図である。この動作では、まず、ＣＮＵ１４のＣＰＵ６２は、ＣＣＵ１２の制御部５５から送られてきたカメラ番号を受信する（ステップＳ２２１）。次に、ＣＰＵ６２は、仮想マトリクスを用いて、各カメラのカメラ番号をソースネームに置き換える（ステップＳ２２２）。次に、ＣＰＵ６２は、制御信号によって、プロダクションスイッチャ１３に対してソースネームを送り（ステップＳ２２３）、ソースネームの表示に関わる動作を終了する。
【００８３】
図２１は、ソースネームの表示に関わるプロダクションスイッチャ１３の動作を示す流れ図である。この動作では、まず、プロダクションスイッチャ１３の制御部１７は、ＣＮＵ１４から送られてきたソースネームを受信する（ステップＳ２３１）。次に、制御部１７は、受信したソースネームを、操作部１８の各スイッチ７１ａ〜７１ｆ，７２ａ〜７２ｆに表示して（ステップＳ２３２）、ソースネームの表示に関わる動作を終了する。
【００８４】
以上説明したように、本実施の形態によれば、プロダクションスイッチャ１３におけるソースネームの設定に応じて、カメラ１１においてカメラ番号を自動的に表示すると共に、カメラ１１におけるカメラ番号の設定に応じて、プロダクションスイッチャ１３においてソースネームを自動的に表示するようにしたので、カメラ１１側で表示されるカメラ番号と、プロダクションスイッチャ１３側で表示されるソースネームとを自動的に対応させることができる。これにより、使用者が、たとえカメラとＣＣＵとの接続関係も把握していなくとも、カメラ１１側で表示されるカメラ番号と、プロダクションスイッチャ１３側で表示されるソースネームとを自動的に対応させることが可能となり、機動性が向上する。
【００８５】
また、本実施の形態によれば、ＣＮＵ１４において仮想マトリクスを保持すると共に、仮想マトリクス表示・切替器１５において仮想マトリクスの内容を表示するようにしたので、使用者が、プロダクションスイッチャ１３の入力端子と、ソースネームと、カメラの名称との対応関係を把握することが可能となると共に、カメラとＣＣＵとの接続関係も把握することが可能となる。
【００８６】
ところで、上記実施の形態における仮想マトリクスは、カメラとＣＣＵとの接続関係を切り替えるものではなく、カメラとＣＣＵとの接続関係の切り替えは、人手によるしかない。そこで、図２２に示したように、各カメラ１１Ａ〜１１Ｄと各ＣＣＵ１２Ａ〜１２Ｄとの間に、各カメラ１１Ａ〜１１Ｄと各ＣＣＵ１２Ａ〜１２Ｄとの間を任意に接続可能なマトリクススイッチャ９０を設け、このマトリクススイッチャ９０を、仮想マトリクス表示・切替器１５における仮想マトリクスの切り替えに応じて自動的に切り替えるようにしてもよい。この場合、マトリクススイッチャ９０は、ＣＮＵ１４からの制御信号に基づいて、カメラとＣＣＵとの接続関係が、仮想マトリクスと同様の設定となるように制御される。
【００８７】
なお、本発明は、上記実施の形態に限定されず、例えば、プロダクションスイッチャ１３における入力端子の数や、ソースネーム、カメラの名称等は、適宜に変更可能である。
【００８８】
【発明の効果】
以上説明したように、請求項１または２記載のカメラ識別情報表示装置もしくは請求項７または８記載のカメラ識別情報表示方法によれば、切り替え装置において設定されたカメラ識別情報を、ビデオカメラに設けられた表示手段によって表示することができるので、ビデオカメラ側で表示されるビデオカメラ識別情報と切り替え装置側で表示されるビデオカメラ識別情報とが対応するようにカメラ識別情報を表示することが可能となるという効果を奏する。
【００８９】
また、請求項３記載のカメラ識別情報表示装置または請求項９記載のカメラ識別情報表示方法によれば、外部より送られてくるカメラ識別情報を、ビデオカメラに設けられた表示手段によって表示することができるので、切り替え装置において設定されたカメラ識別情報をビデオカメラに送ることにより、ビデオカメラ側で表示されるビデオカメラ識別情報と切り替え装置側で表示されるビデオカメラ識別情報とが対応するようにカメラ識別情報を表示することが可能となるという効果を奏する。
【００９０】
請求項４または５記載のカメラ識別情報表示装置もしくは請求項１０または１１記載のカメラ識別情報表示方法によれば、ビデオカメラにおいて設定されたカメラ識別情報を、切り替え装置に設けられた表示手段によって切り替え装置の選択スイッチの操作部分に表示することができるので、ビデオカメラ側で表示されるビデオカメラ識別情報と切り替え装置側で表示されるビデオカメラ識別情報とが対応するようにカメラ識別情報を表示することが可能となるという効果を奏する。
【００９１】
また、請求項６記載のカメラ識別情報表示装置または請求項１２記載のカメラ識別情報表示方法によれば、外部より送られてくるカメラ識別情報を、切り替え装置に設けられた表示手段によって切り替え装置の選択スイッチの操作部分に表示することができるので、ビデオカメラにおいて設定されたカメラ識別情報を切り替え装置に送ることにより、ビデオカメラ側で表示されるビデオカメラ識別情報と切り替え装置側で表示されるビデオカメラ識別情報とが対応するようにカメラ識別情報を表示することが可能となるという効果を奏する。
また、請求項１３記載のカメラ識別情報表示システムによれば、切り替え装置において設定されたカメラ識別情報を、ビデオカメラに設けられた第１の表示手段によって表示すると共に、ビデオカメラにおいて設定されたカメラ識別情報を、切り替え装置に設けられた第２の表示手段によって表示するようにしたので、使用者が、たとえビデオカメラとカメラ制御装置との接続関係も把握していなくとも、ビデオカメラ側で表示されるビデオカメラ識別情報と切り替え装置側で表示されるビデオカメラ識別情報とを自動的に対応させることができ、機動性が向上する。
また、請求項１４記載のカメラ識別情報表示システムによれば、外部より送られてくるカメラ識別情報を、ビデオカメラに設けられた第１の表示手段によって表示すると共に、外部より送られてくるカメラ識別情報を、切り替え装置に設けられた第２の表示手段によって表示することができるので、使用者が、たとえビデオカメラとカメラ制御装置との接続関係も把握していなくとも、ビデオカメラ側で表示されるビデオカメラ識別情報と切り替え装置側で表示されるビデオカメラ識別情報とを自動的に対応させることができ、機動性が向上する。
【図面の簡単な説明】
【図１】本発明の一実施の形態に係るカメラ識別情報表示装置を含むシステムの構成の一例を示すブロック図である。
【図２】図１におけるカメラにおけるカメラ番号の表示手段を示す説明図である。
【図３】図１におけるカメラの構成の一例を示すブロック図である。
【図４】図１におけるＣＣＵの構成の一例を示すブロック図である。
【図５】図１におけるＣＮＵの構成の一例を示すブロック図である。
【図６】図１におけるプロダクションスイッチャの操作部の要部の構成を示す説明図である。
【図７】図１におけるプロダクションスイッチャの操作部の他の部分を示す説明図である。
【図８】図１における仮想マトリクス表示・切替器における操作部の一部の外観を示す説明図である。
【図９】図１におけるカメラとＣＣＵとプロダクションスイッチャの入力端子との対応関係の一例を示す説明図である。
【図１０】図９に対応した仮想マトリクスの内容を示す説明図である。
【図１１】図１におけるカメラとＣＣＵとプロダクションスイッチャの入力端子との対応関係の他の例を示す説明図である。
【図１２】図１１に対応した仮想マトリクスの内容を示す説明図である。
【図１３】本発明の一実施の形態におけるカメラ番号の表示に関わるプロダクションスイッチャの動作を示す流れ図である。
【図１４】本発明の一実施の形態におけるカメラ番号の表示に関わるＣＮＵの動作を示す流れ図である。
【図１５】本発明の一実施の形態におけるカメラ番号の表示に関わるＣＣＵの動作を示す流れ図である。
【図１６】本発明の一実施の形態におけるカメラ番号の表示に関わるカメラの動作を示す流れ図である。
【図１７】図１３ないし図１６に対応するプロダクションスイッチャ、ＣＮＵ、ＣＣＵおよびカメラ間の制御信号の流れと内容の一例を示す説明図である。
【図１８】本発明の一実施の形態におけるソースネームの表示に関わるカメラの動作を示す流れ図である。
【図１９】本発明の一実施の形態におけるソースネームの表示に関わるＣＣＵの動作を示す流れ図である。
【図２０】本発明の一実施の形態におけるソースネームの表示に関わるＣＮＵの動作を示す流れ図である。
【図２１】本発明の一実施の形態におけるソースネームの表示に関わるプロダクションスイッチャの動作を示す流れ図である。
【図２２】本発明の一実施の形態においてカメラとＣＣＵとの間にマトリクススイッチャを設けた場合のシステムの構成を示すブロック図である。
【図２３】カメラとＣＣＵとプロダクションスイッチャとの接続関係の一例を示す説明図である。
【符号の説明】
１１Ａ〜１１Ｄ（１１）…カメラ、１２Ａ〜１２Ｄ（１２）…ＣＣＵ、１３…プロダクションスイッチャ、１４…ＣＮＵ、１５…仮想マトリクス表示・切替器、１６…切り替え部、１７…制御部、１８…操作部、２６…カメラ番号表示器、２７…ビューファインダ、７１ａ〜７１ｆ，７２ａ〜７２ｆ…スイッチ。
【図１】
0004006611.tif 000002
【図２】
0004006611.tif 000003
【図３】
0004006611.tif 000004
【図４】
0004006611.tif 000005
【図５】
0004006611.tif 000006
【図６】
0004006611.tif 000007
【図７】
0004006611.tif 000008
【図８】
0004006611.tif 000009
【図９】
0004006611.tif 000010
【図１０】
0004006611.tif 000011
【図１１】
0004006611.tif 000012
【図１２】
0004006611.tif 000013
【図１３】
0004006611.tif 000014
【図１４】
0004006611.tif 000015
【図１５】
0004006611.tif 000016
【図１６】
0004006611.tif 000017
【図１７】
0004006611.tif 000018
【図１８】
0004006611.tif 000019
【図１９】
0004006611.tif 000020
【図２０】
0004006611.tif 000021
【図２１】
0004006611.tif 000022
【図２２】
0004006611.tif 000023
【図２３】
0004006611.tif 000024